(57)【要約】【課題】工具や特別の知識を必要とせず、簡単にプラグを機器に固定することができるとともに、対象の機器の形状や大きさにフレキシブルに対応できる取り扱いに優れたプラグ抜け防止装置を提供すること。【解決手段】プラグ１の基部１ａに係合させる略方形状の係合板５の両側部には帯状の面ファスナー７の一端がそれぞれ取り付けられ、上記係合板５の中央にはプラグ１の基部１ａを挿入することができる大きさの開口部９を形成するとともに、該開口部９にはケーブルを開口部９にスライド挿入するためのスリット１０を連設し、プラグ１を差し込む機器Ｂの上下面又は両側面には上記係合板５の面ファスナー７と係止し合う面ファスナー６を貼着した。【選択図】        図１
2004253164.tif 000002
【特許請求の範囲】
【請求項１】
機器のプラグソケットに差し込んだプラグが抜けないようにする、以下の要件を備えることを特徴とするプラグ抜け防止装置。
（イ）プラグの基部に係合させる略方形状の係合板の両側部には帯状の面ファスナーの一端がそれぞれ取り付けられていること
（ロ）上記係合板の中央にはプラグの基部を挿入することができる大きさの開口部が形成され、該開口部にはケーブルを開口部にスライド挿入するためのスリットが連設されていること
（ハ）上記機器の上下面又は両側面には上記係合板の面ファスナーと係止し合う面ファスナーが貼着されていること
【請求項２】
前記係合板の両側部はプラグ側に斜めに折り曲げ形成されている、請求項１記載のプラグ抜け防止装置。
【発明の詳細な説明】
【０００１】
【発明の属する技術分野】
本発明は、機器のプラグソケットに差し込んだプラグが抜けないようにするプラグ抜け防止装置に関する。
【０００２】
【従来の技術】
従来、機器のプラグソケットに差し込んだプラグが抜けないようにする抜け防止装置が提案されている。この抜け防止装置は締め付け具のネジ部を機器のネジ穴に捩じ込んで固定し、この締め付け具に取り付けられた針金状のロック部材をプラグに引っ掛けてプラグを機器に固定するようになっているものである（例えば、特許文献１参照）。
【０００３】
【特許文献１】
特開平６−５３３１号公報（第２、３頁、図１）
【０００４】
【発明が解決しようとする課題】
しかしながら、上述の抜け防止装置を機器に取り付けるためには、締め付け具を機器に固定するための工具が必要であり、簡単に取り付けができないとともに、対称のプラグに適合する形状のロック部材を用意しなければならない問題があった。
【０００５】
本発明は上記問題点を解消し、工具や特別の知識を必要とせず、簡単にプラグを機器に固定することができるとともに、対象の機器の形状や大きさにフレキシブルに対応できる取り扱いに優れたプラグ抜け防止装置を提供することをその課題とする。
【０００６】
【課題を解決するための手段】
前記課題を解決するため、本発明に係るプラグ抜け防止装置は、機器のプラグソケットに差し込んだプラグが抜けないようにする、以下の要件を備えることを特徴とする。
（イ）プラグの基部に係合させる略方形状の係合板の両側部には帯状の面ファスナーの一端がそれぞれ取り付けられていること
（ロ）上記係合板の中央にはプラグの基部を挿入することができる大きさの開口部が形成され、該開口部にはケーブルを開口部にスライド挿入するためのスリットが連設されていること
（ハ）上記機器の上下面又は両側面には上記係合板の面ファスナーと係止し合う面ファスナーが貼着されていること
【０００７】
なお、前記係合板の両側部はプラグ側に斜めに折り曲げ形成されていることが好ましい。
【０００８】
【発明の実施の形態】
図１は、本発明に係るプラグ抜け防止装置の一例を示し、このプラグ抜け防止装置は、図２に示すように、電源ケーブルや信号ケーブルなどのケーブルＡのプラグ１をパソコンなどの機器Ｂのプラグソケット２に差し込んだ際、プラグ１の引き抜き方向に外力が加わってもプラグが抜けることのないようにするためのものである。
【０００９】
プラグ抜け防止装置は、プラグ１の基部１ａに係合する係合板５と、機器Ｂの両側面又は上下面に貼着する面ファスナー（フック形成面を有する面ファスナー）６と、一端が上記係合板５に取り付けられて上記面ファスナー６に係止し合う面ファスナー（ループ形成面を有する面ファスナー）７とで構成されている。
【００１０】
係合板５は、金属や樹脂で略方形状に形成された板部材で、斜め後方に折り曲げられた両側部５ａには面ファスナー７を取り付ける長孔８が形成され、中央にはプラグ１の基部１ａを挿入することができる円形の開口部９が形成され、この円形の開口部９にはケーブルＡを開口部９にスライド挿入するためのスリット１０が連設されている。
【００１１】
面ファスナー６、７はフック形成面を有する面ファスナーとループ形成面を有する面ファスナーとの２つの面ファスナーからなる公知の連結手段であって、面ファスナーのフックを面ファスナーのループに引っ掛けることにより面ファスナーが係止し合うようになっているもので、図３に示すように、裏側面にループ形成面を有する面ファスナー７の一端を係合板５の長孔８から挿通し、挿通した先端を折り返して溶着することにより、図１に示すように、係合板５に面ファスナー７が取り付けられている。
【００１２】
次に、上記プラグ抜け防止装置をＵＳＢケーブルに適用した場合について説明する。
【００１３】
先ず、図４に示すように、機器Ｂの両側に面ファスナー６を貼着し、プラグ１をプラグソケット２に差し込む。次に、ケーブル１１を係合板５のスリット１０から開口部９内にスライド挿入させる。
【００１４】
図５に示すように、ケーブル１１を開口部９内に挿入した後、係合板５を機器側に移動させ、図６に示すように、プラグ１の基部１ａを開口部９に挿通させて係合板５をプラグ１の背中に当接する。
【００１５】
その後、面ファスナー７を機器側に引っ張りながら機器Ｂの両側面又は上下面に貼着されている面ファスナー６に押し付けて面ファスナー同士を係止させて機器Ｂに固定すればよい（図７参照）。
【００１６】
上記状態では、プラグ１の引き抜き方向（矢印ｃ方向）に外力が加わっても、面ファスナーに係る外力は引き剥がし方向（矢印ａ方向）ではなく、引きずり方向（矢印ｂ方向）になるので、面ファスナー同士の係止状態は持続することになりプラグの抜け防止に絶大な効果を発揮することができる。
【００１７】
しかも、係止板５の両側部５ａはプラグ１側に斜めに折り曲げられているので、面ファスナー７の引っ張り方向とほぼ一致し、係合板５をプラグ１の押し込み方向に引っぱった状態で面ファスナー７を面ファスナー６に係止させる事ができるので、プラグ１に確実に固定することができる。
【００１８】
なお、上述の使用状態では、プラグ抜け防止装置をＵＳＢケーブルの抜け防止に適用した場合について説明したが、開口部９の大きさや、スリット１０の幅をプラグの基部の太さや、ケーブルの太さに合わせて複数設定した係合板を用意することにより、電源プラグなどの太いケーブルに対応することができるプラグ抜け防止装置を実現することができる。
【００１９】
【発明の効果】
請求項１の発明によれば、プラグの基部を係合板の開口部に挿通し、面ファスナーを機器の両側面又は上下面に貼着した面ファスナーに押し付けることにより簡単にプラグの抜け防止をセットすることができる。しかも、プラグの引き抜き方向と面ファスナーの引き剥がし方向とは同一方向にないので、面ファスナー同士の係止状態は強力で、プラグの抜け防止に絶大な効果を発揮することができる。
【００２０】
請求項２の発明によれば、係合板の両端部をプラグ側に斜めに折り曲げたことにより、面ファスナーの引張り方向と折り曲げ方向とが同一方向になり、係合板をプラグの押し込み方向に押し付けることができ、プラグをより確実に固定することができる。
【図面の簡単な説明】
【図１】本発明に係る、プラグ抜け防止装置の構成を説明する斜視図
【図２】抜け防止装置を用いずにプラグをプラグソケットに差し込む状態を説明する斜視図
【図３】抜け防止装置の構成を示す分解斜視図
【図４】ケーブルに抜け防止装置を装着する状態を説明する斜視図
【図５】ケーブルに抜け防止装置を装着する状態を説明する斜視図
【図６】抜け防止装置を機器に取り付ける状態を説明する斜視図
【図７】抜け防止装置でプラグを機器に固定した状態を示す斜視図
【符号の説明】
１  プラグ
２  プラグソケット
５  係合板
６  面ファスナー
７  面ファスナー
８  長孔
９  開口部
１０  スリット
Ａ  ケーブル
Ｂ  機器
【図１】
2004253164.tif 000003
【図２】
2004253164.tif 000004
【図３】
2004253164.tif 000005
【図４】
2004253164.tif 000006
【図５】
2004253164.tif 000007
【図６】
2004253164.tif 000008
【図７】
2004253164.tif 000009